(57)【要約】【課題】共同出資型オークションシステムにおいて、出資者グループの各構成員が適切な入札支援情報を共有できるシステム、方法等を提供する。【解決手段】ネットオークションシステムは、複数の端末と、端末の各々と接続できる管理サーバと、オークションサイトサーバとを有する。ネットオークションに出品された特定の商品の入札に共同参加する各参加者によって端末のいずれかから入力された各参加者の出資額１４４と、オークションサイトサーバに記録された商品の最高入札価格とは管理サーバに送信され、記録され、各端末より閲覧可能な状態におかれる。管理サーバは、商品の適正落札価格１４６，１４７を予測し、適正落札価格１４６，１４７を記憶装置に格納し、各端末からのアクセスに応じて、記憶装置に格納された適正落札価格１４６，１４７の情報を各端末より閲覧可能な状態におく。【選択図】図２
2006004362.tif 000002
【特許請求の範囲】
【請求項１】
複数の端末と、該端末の各々と接続できる管理サーバと、ネットオークションサイトを運営し該管理サーバと接続できるオークションサイトサーバとを有するネットオークションシステムであって、ネットオークションに出品された特定の商品の入札に共同参加する各参加者によって前記端末のいずれかから入力された前記各参加者の出資額と、前記オークションサイトサーバに記録された前記商品の最高入札価格とが前記管理サーバに送信され、記録され、前記各端末より閲覧可能な状態におかれ、前記参加者が共同で入札をおこなうネットオークションシステムにおいて、
前記管理サーバは、前記商品の適正落札価格を予測し、該適正落札価格を記憶装置に格納し、前記各端末からのアクセスに応じて、前記記憶装置に格納された該適正落札価格の情報を該各端末より閲覧可能な状態におくことを特徴とする、ネットオークションシステム。
【請求項２】
前記管理サーバは、
前記商品の適正落札価格を予測するための価格予測データの入力手段と、
前記価格予測データに基づき前記商品の適正落札価格を予測する予測手段とを有する
、請求項１に記載のネットオークションシステム。
【請求項３】
前記管理サーバは、予測された前記適正落札価格と前記各参加者の出資額とをもとに、前記適正落札価格の前記参加者別の負担額を算出する、請求項１または２に記載のネットオークションシステム。
【請求項４】
ネットオークションに出品された特定の商品の入札に共同参加する各参加者によって端末に入力された前記各参加者の出資額を、該端末が管理サーバに送信するステップと、前記管理サーバが、ネットオークションサイトを運営するオークションサイトサーバから、前記オークションサイトサーバに記録された前記商品の最高入札価格を取得するステップと、前記管理サーバが、前記各参加者の出資額と前記最高入札価格とを前記端末から閲覧可能な状態におくステップとを有する、ネットオークションの共同入札方法において、
前記管理サーバが、前記商品の適正落札価格を予測し、該適正落札価格を前記端末より閲覧可能な状態におくステップを有することを特徴とする、ネットオークションの共同入札方法。
【請求項５】
前記管理サーバが前記商品の適正落札価格を予測するための価格予測データを取得するステップと、
前記管理サーバが前記価格予測データに基づき前記商品の適正落札価格を予測するステップとを有する、請求項４に記載のネットオークションの共同入札方法。
【請求項６】
前記管理サーバが、予測された前記適正落札価格と前記各参加者の出資額とをもとに、前記適正落札価格の前記参加者別の負担額を算出するステップを有する、請求項４または５に記載のネットオークションの入札方法。
【請求項７】
ネットオークションに出品された特定の商品の入札に共同参加する各参加者によって端末に入力された前記各参加者の出資額を、該端末から受信する出資額受信部と、ネットオークションサイトを運営するオークションサイトサーバに記録された前記商品の最高入札価格を、該オークションサイトサーバから受信する最高入札価格受信部と、前記各参加者の出資額と前記最高入札価格とを前記端末から閲覧可能な状態におく表示部とを有する、共同で入札をおこなうネットオークションに用いられる管理サーバにおいて、
前記商品の適正落札価格を予測し、適正落札価格を記憶装置に格納し、前記端末からのアクセスに応じて、前記記憶装置に格納された該適正落札価格の情報を該端末より閲覧可能な状態におく適正落札価格予測表示部を有することを特徴とする、管理サーバ。
【請求項８】
前記商品の適正落札価格を予測するための価格予測データを取得する予測データ取得部を有し、
前記適正落札価格予測表示部は、前記予測データ取得部で取得された前記価格予測データに基づき、前記商品の適正落札価格を予測する、請求項７に記載の管理サーバ。
【請求項９】
前記適正落札価格予測表示部は、予測された前記適正落札価格と前記各参加者の出資額とをもとに、前記適正落札価格の前記参加者別の負担額を算出する、請求項７または８に記載の管理サーバ。
【請求項１０】
共同で入札をおこなうネットオークションに用いられる管理サーバを、ネットオークションに出品された特定の商品の入札に共同参加する各参加者によって端末に入力された前記各参加者の出資額を、該端末から受信する出資額受信手段として機能させ、ネットオークションサイトを運営するオークションサイトサーバに記録された前記商品の最高入札価格を、該オークションサイトサーバから受信する最高入札価格受信手段として機能させ、前記各参加者の出資額と前記最高入札価格とを前記端末から閲覧可能な状態におく表示手段として機能させるプログラムにおいて、
前記管理サーバを、前記商品の適正落札価格を予測し、該適正落札価格を前記端末より閲覧可能な状態におく適正落札価格予測表示手段として機能させることを特徴とする、プログラム。
【請求項１１】
前記管理サーバを、前記商品の適正落札価格を予測するための価格予測データを取得する予測データ取得手段として機能させ、
前記適正落札価格予測表示手段に、前記予測データ取得部で取得された前記価格予測データに基づき、前記商品の適正落札価格を予測させる、請求項１０に記載のプログラム。
【請求項１２】
前記適正落札価格予測表示部に、予測された前記適正落札価格と前記各参加者の出資額とをもとに、前記適正落札価格の前記参加者別の負担額を算出させる、請求項１０または１１に記載のプログラム。
【発明の詳細な説明】
【技術分野】
【０００１】
本発明は通信ネットワークを利用した共同出資型オークションシステム等に関する。
【背景技術】
【０００２】
従来から知られているオークションは、入札対象の商品について入札希望者が一人ずつオークションに登録、参加し、指定時間内に最高値を付けた者が落札できるシステムである。最近では、インターネットなどのネットワーク技術を用いて、参加者が端末から参加できる形態のものが増えている。
【０００３】
オークションの対象商品は高額であることも多いため、オークション参加者は落札後共同出資者を募集し、将来の転売利益や配当金の配分を条件に出資金を得て、落札にかかった費用を取り戻したり、出資者から会員費、手数料などの利益を得ることがある。また、落札後に共同出資者が集まらないことによる資金負担のリスクを避けるため、入札時に共同出資者を募集することもある。後者の場合、あらかじめ共同出資募集者と共同出資者との間で入札限度額などを相談し共同出資募集者が代表して入札をおこなうことが多い。しかし、オークションでは最高入札価格が頻繁に変わり、その都度相談をしていたのでは入札に間に合わない事態も発生する。そこで、ネットワーク技術を用いたオークションにおいて、共同出資募集者と共同出資者との間でネットワーク上でグループを作り、最高入札価格や、グループ全体の出資金総額や、共同出資募集者・共同出資者各々の出資比率などの情報をグループ構成員が端末から確認できるようにして、迅速かつ容易に入札ができるようにする技術が開示されている（特許文献１参照）。
【特許文献１】特開２００２−１８３５１０号公報
【発明の開示】
【発明が解決しようとする課題】
【０００４】
しかしながら、オークションの入札期間は一般に限られており、入札期間のぎりぎりを狙って多くの入札がおこなわれることも多いことから、入札の期限が近づくと客観的で十分な検討時間がとれないことが多い。また、オークションの商品のなかには、絵画、骨董品等の芸術品や不動産等、常に価格が変動し転売をすることで利益が出るものや、競走馬のように成長後新しい利益を生む可能性があるものがある。前者では現在価値が一応の目安となるが、現在価値を客観的に判断するのは困難な場合が多い。さらに後者では、配当金が重要なファクターとなり、入札価格の決定が一層困難になる。しかし、従来このような現在価値や配当金についての情報を客観的に評価しながら入札することはできなかった。
【０００５】
このような場合でも、個人での入札であれば、あらかじめ必要な情報を整備して適切な入札をおこなえる可能性は高いが、複数の構成員を有するグループ単位の入札では、グループ全員が適切な情報を共有している保証はなく、グループとして適切に行動できる可能性は低下する。この結果、共同参加する各参加者にとっては、不当に高い額で落札してしまったり、途中で断念して好条件での落札の機会を逃してしまうというリスクにつながる。また、共同参加を募集する参加者も、参加者の募集や出資金の提供をスムーズにおこなうことができず、落札機会は増えず、自らのリスクも増える一方となる。
【０００６】
本発明は、このような事情に基づいてなされたものであり、通信ネットワークを利用した共同出資型オークションシステムにおいて、出資者グループの各構成員が適切な入札支援情報を共有できるシステム、方法等を提供することを目的とする。
【課題を解決するための手段】
【０００７】
本発明のネットオークションシステムは、複数の端末と、端末の各々と接続できる管理サーバと、ネットオークションサイトを運営し管理サーバと接続できるオークションサイトサーバとを有するネットオークションシステムであって、ネットオークションに出品された特定の商品の入札に共同参加する各参加者によって端末のいずれかから入力された各参加者の出資額と、オークションサイトサーバに記録された商品の最高入札価格とが管理サーバに送信され、記録され、各端末より閲覧可能な状態におかれ、参加者が共同で入札をおこなうネットオークションシステムに関するものである。そして、本発明においては、管理サーバは、商品の適正落札価格を予測し、適正落札価格を記憶装置に格納し、各端末からのアクセスに応じて、記憶装置に格納された適正落札価格の情報を各端末より閲覧可能な状態におくことを特徴としている。
【０００８】
このため、共同参加する各参加者は、適正な落札価格についての客観的な情報をみながら入札および出資額を増額した再入札に参加することができ、入札に参加するかどうか、出資額を増やすかどうかを、自らで的確に判断することができる。
【０００９】
管理サーバは、商品の適正落札価格を予測するための価格予測データの入力手段と、価格予測データに基づき商品の適正落札価格を予測する予測手段とを有するように構成してもよい。
【００１０】
また、管理サーバは、予測された適正落札価格と各参加者の出資額とをもとに、適正落札価格の参加者別の負担額を算出するようにしてもよい。
【００１１】
本発明のネットオークションの共同入札方法は、ネットオークションに出品された特定の商品の入札に共同参加する各参加者によって端末に入力された各参加者の出資額を、端末が管理サーバに送信するステップと、管理サーバが、ネットオークションサイトを運営するオークションサイトサーバから、オークションサイトサーバに記録された商品の最高入札価格を取得するステップと、管理サーバが、各参加者の出資額と最高入札価格とを端末から閲覧可能な状態におくステップとを有する、ネットオークションの共同入札方法に関するものである。そして、管理サーバが、商品の適正落札価格を予測し、適正落札価格を端末より閲覧可能な状態におくステップを有することを特徴としている。
【００１２】
管理サーバが商品の適正落札価格を予測するための価格予測データを取得するステップと、管理サーバが価格予測データに基づき商品の適正落札価格を予測するステップとを有するようにしてもよい。
【００１３】
また、管理サーバが、予測された適正落札価格と各参加者の出資額とをもとに、適正落札価格の参加者別の負担額を算出するステップを有するようにしてもよい。
【００１４】
本発明の管理サーバは、ネットオークションに出品された特定の商品の入札に共同参加する各参加者によって端末に入力された各参加者の出資額を、端末から受信する出資額受信部と、ネットオークションサイトを運営するオークションサイトサーバに記録された商品の最高入札価格を、オークションサイトサーバから受信する最高入札価格受信部と、各参加者の出資額と最高入札価格とを端末から閲覧可能な状態におく表示部とを有する、共同で入札をおこなうネットオークションに用いられる管理サーバに関するものである。そして、商品の適正落札価格を予測し、適正落札価格を記憶装置に格納し、端末からのアクセスに応じて、記憶装置に格納された適正落札価格の情報を端末より閲覧可能な状態におく適正落札価格予測表示部を有することを特徴としている。
【００１５】
管理サーバは、商品の適正落札価格を予測するための価格予測データを取得する予測データ取得部を有し、適正落札価格予測表示部は、予測データ取得部で取得された価格予測データに基づき、商品の適正落札価格を予測するようにしてもよい。
【００１６】
また、適正落札価格予測表示部は、予測された適正落札価格と各参加者の出資額とをもとに、適正落札価格の参加者別の負担額を算出するようにしてもよい。
【００１７】
本発明のプログラムは、共同で入札をおこなうネットオークションに用いられる管理サーバを、ネットオークションに出品された特定の商品の入札に共同参加する各参加者によって端末に入力された各参加者の出資額を、端末から受信する出資額受信手段として機能させ、ネットオークションサイトを運営するオークションサイトサーバに記録された商品の最高入札価格を、オークションサイトサーバから受信する最高入札価格受信手段として機能させ、各参加者の出資額と最高入札価格とを端末から閲覧可能な状態におく表示手段として機能させるプログラムに関するものである。そして、管理サーバを、商品の適正落札価格を予測し、適正落札価格を端末より閲覧可能な状態におく適正落札価格予測表示手段として機能させることを特徴としている。
【００１８】
本発明のプログラムは、管理サーバを、商品の適正落札価格を予測するための価格予測データを取得する予測データ取得手段として機能させ、適正落札価格予測表示手段に、予測データ取得部で取得された価格予測データに基づき、商品の適正落札価格を予測させるように構成してもよい。
【００１９】
また、適正落札価格予測表示部に、予測された適正落札価格と各参加者の出資額とをもとに、適正落札価格の参加者別の負担額を算出させるようにしてもよい。
【発明の効果】
【００２０】
このように、本発明のオークションシステム等によれば、共同参加する各参加者は、現在価値や配当金についての情報を客観的に評価しながら入札に参加することができ、不当な価格での落札を避け、適正価格での落札機会を増やすことができる。また、共同参加を募集する参加者も、各参加者に適切な入札支援情報を提供することで、参加者の募集や出資金の提供をスムーズにおこなうことができ、落札機会を増やすとともに自らのリスクを減らすことができる。
【発明を実施するための最良の形態】
【００２１】
以下図面を参照して、本発明の共同出資型オークションシステムについて詳細を説明する。図１には、本発明のオークションシステムの全体構成図を示す。参加者ｂが保有する参加者端末Ｂ、および参加者ｃ１、ｃ２が各々保有する参加者端末Ｃ１、Ｃ２がインターネット等の通信ネットワーク１０１に接続されている。同図では、参加者３人、参加者端末３台を表示しており、以下の説明もこれを前提とするが、参加者数や端末台数に制限はない。また、複数の参加者が１台の参加者端末を共有することもできる。参加者ｂは、オークションへの共同出資を募集し代表して入札する者であり、参加者ｃ１、ｃ２は共同出資に参加する者であるが、各参加者はオークションや商品によっていずれにもなりうる。以下では、参加者ｂと参加者ｃ１、ｃ２の集合を参加者グループａといい、また、参加者ｂと参加者ｃ１、ｃ２を総称して構成員という場合がある。参加者端末Ｂ、参加者端末Ｃ１、Ｃ２はパーソナルコンピュータの他、携帯電話等の通信機能を有する端末を用いることができる。
【００２２】
通信ネットワーク１０１にはさらに、構成員のために入札支援をおこなう入札支援データベース１を有する管理サーバＳと、ネット上の仮想オークション会場であるオークションサイト１０２を管理するオークションサイトサーバＡＳとが接続している。
【００２３】
図２には管理サーバＳの中に構築される入札支援データベースの概要を示している。入札支援データベース１はオークションの商品毎に独立した入札支援データ１ａ、１ｂ等の集合として構成されている。ここではある特定のオークションサイト１０２のある特定の商品Ｐを対象とした入札支援データ１ａを代表して示す。
【００２４】
入札支援データ１ａは、オークションサイト１０２の名称、アドレス等を有するオークションサイト情報１１と、商品Ｐの入札情報１２と、入札状況情報１３と、入札支援情報１４と、価格等予測情報１５とを有している。入札情報１２は、商品Ｐのコード番号や商品情報、入札期間、入札条件、画像データ等の入札に関する一般的な情報を有している。入札状況情報１３は、他の入札者の名称と、入札者毎の入札価格と、入札日時の一覧データを有している。入札状況情報１３は、管理サーバＳからオークションサイトサーバＡＳに定期的にアクセスし、逐次更新される。
【００２５】
入札支援情報１４は、参加者グループａ全体の総出資額１４１、適正落札価格１４２、予想配当１４３の情報を有している。適正落札価格１４２は、以下に述べる価格等予測情報１５の所定の予測データ１５ａ、１５ｂ（図３参照）、１５ｅ（図５参照）に従い客観的に算定される。予想配当１４３は、例えば商品Ｐが競争馬であればその配当金であり、同様に所定の予測データ１５ｃ、１５ｄ（図４参照）に従い客観的に算定される。構成員別出資額１４４は、参加者グループａの構成員各々の出資額であり、その合計が総出資額１４１となっている。出資比率１４５は、構成員別出資額１４４の総出資額１４１に対する比率である。例えば参加者ｃ１の場合、６０万円を出資しているので、出資比率１４５は３０％となる。同様に、構成員別適正落札価格１４６、構成員別予想配当１４７も出資比率１４５で比例配分される。なお、構成員別予想配当１４７は必ずしも出資比率１４５で比例配分する必要はなく、例えば出資比率が高いほど配分率を高くするなど、適宜に設定することができる。
【００２６】
価格等予測情報１５は、商品Ｐに応じて適切な予測データが設定される。以下、図３〜５を参照して、競走馬と絵画を例に、代表的な価格等予測情報１５の例を示す。
【００２７】
図３には、競走馬の適正落札価格を予測するために用いられる予測データ１５ａ、１５ｂを示している。これらのデータは参加者ｂが共同出資者の募集をする時点で調査して入力するが、参加者ｃ１、ｃ２が入力してもよいし、第三者に依頼してもよい。また、構成員は、予測データ１５ａ、１５ｂのいずれを用いるかを選択することができる。
【００２８】
予測データ１５ａには、父馬と母馬の各々の落札価格と落札年が記録されている。実勢価格は落札年以降の価格変動率によって補正した価格である。重み係数は父馬と母馬のどちらを重視するかを指定するためのものである。このデータを用いれば、対象商品である競走馬（以下、対象競走馬）の落札予想価格は４７００万円程度となることが分かり、４７００万円前後を入札価格決定の目安とすることができる。また、予測データ１５ｂでは、対象競争馬の兄弟馬の落札価格が記録されている。実勢価格と重み係数は予測データ１５ａと同様の意味である。このデータを用いれば、対象競走馬の落札予想価格は６１００万円程度となることが分かり、６１００万円前後を入札価格決定の目安とすることができる。
【００２９】
図４には、絵画の適正落札価格を予測するために用いられる予測データ１５ｃ、１５ｄを示している。これらのデータは参加者ｂが共同出資者の募集をする時点で調査して入力するが、参加者ｃ１、ｃ２が入力してもよいし、第三者に依頼してもよい。また、構成員は、予測データ１５ｃ、１５ｄのいずれを用いるかを選択することができる。
【００３０】
予測データ１５ｃには、対象絵画と同一の作家により制作され、一定期間内に落札された絵画の落札価格と落札年が記録されている。実勢価格と重み係数は予測データ１５ａと同様の意味であるが、ここでは２００３年から当該画家の評価が急に高まったという想定の元に、重み係数に差を設けた例を示している。このデータを用いれば、対象絵画の落札予想価格は１１００万円程度となることが分かり、１１００万円前後を入札価格決定の目安とすることができる。また、予測データ１５ｄには、価格等予測情報１５ｃのデータに加えて、絵画の面積を追加している。絵画価格が絵画面積とほぼ比例関係にあるとみなすことができる場合には、絵画面積の比率で補正することにより一層精度を高めることができる。対象絵画の絵画面積が６０００ｃｍ2であるとすると、このデータを用いれば、対象絵画の落札予想価格は１０６０万円程度となることが分かり、１０６０万円前後を入札価格決定の目安とすることができる。
【００３１】
図５には、対象競走馬の予想配当を予測するために用いられる予測データ１５ｅを示している。このデータも参加者ｂが共同出資者の募集をする時点で調査して入力するが、参加者ｃ１、ｃ２が入力してもよいし、第三者に依頼してもよい。また、構成員は、予測データ１５ｅを、予測データ１５ａ、１５ｂと選択的にまたは同時に用いることができる。
【００３２】
予測データ１５ｅには、父馬と母馬の各々と対象競争馬の生涯獲得賞金が記録されている。中心活動年は、父馬と母馬が主に賞金を獲得した活動年であり、実勢価格と重み係数は予測データ１５ａと同様の意味である。このデータを用いれば、対象競争馬の生涯獲得賞金予想価格は９２００万円程度となることが分かる。そしてすでに３０００万円の賞金を獲得しているので、今後の獲得賞金すなわち予想配当金総額は６２００万円程度となり、６２００万円前後を入札価格決定の目安とすることができる。対象競走馬に、配当金以外に種付け価格等の一定の価値が見込める場合には、そのデータを配当額に加算してもよい。
【００３３】
次に、図６のフロー図を参照して、本発明のオークションの共同入札方法の流れについて詳細を説明する。図中、太枠部は関連図面があるもので、図番を併せて示している。オークションサイトサーバＡＳは、ある商品Ｐについてのオークションが開始されると、その旨をホームページやメールで告知する（ステップ３１）。参加者ｂは参加者端末Ｂからこの情報を入手し、共同出資者を募集する旨の表示をおこなうよう、管理サーバＳに要求する（ステップ３２）。この際、参加者ｂは、オークションサイト情報１１と、入札情報１２と、価格等予測情報１５とを管理サーバＳに一緒に送信する（ステップ３３）。さらに、必要に応じて、参加者ｂは参加者端末Ｂから、自らの当初出資額を管理サーバＳに送信する（ステップ３４）。ここでは参加者ｂは、当初出資額として１０００万円を指定し、価格等予測情報１５として図３、５のデータを送信したとする。
【００３４】
管理サーバＳはこの信号を受信し、受信したオークションサイト情報１１と、入札情報１２と、価格等予測情報１５をもとに入力支援データ１ａを作成する。また、商品Ｐについての共同出資を呼びかける情報を、入力支援データ１ａとともに、参加者端末Ｃ１，Ｃ２から閲覧可能な状態に置く（ステップ３５）。
【００３５】
このときの参加者端末Ｃ１，Ｃ２における閲覧画面の例を図７に示す。閲覧画面には、オークションサイト情報１１と、入札情報１２とから生成された一般情報２０１が表示されている。グループ内出資情報２０２は、この時点では共同出資者がいないので、参加者ｂだけが出資額１０００万円で表示されている。グループ内出資情報２０２にはさらに、価格等予測情報１５をもとに生成された適正落札価格と予想配当とが表示されている。ここで、適正落札価格の算定パターンには、パターン１、すなわち予測データ１５ａを用いた算定パターンが適用され（パターン２は予測データ１５ｂを用いた算定パターンである。）、予想配当の算定パターンには、パターン１、すなわち予測データ１５ｅを用いた算定パターンが適用されている。適正落札価格算定パターン２０３は「１」または「２」が選択可能に表示され、参加者ｃ１、ｃ２は自らの判断で適用する予測データ１５ａ、１５ｂを切り替えることができる。予想配当金算定パターン２０４は、予測データ１５ｅだけが記録されているので、「１」だけが表示されており、他のデータへの切り替えはできない。他者の入札状況はこの時点では未確認であるため、入札情報２０５は空欄となっている。閲覧画面の下方には参加登録ボタン２０６が表示されており、参加者ｃ１、ｃ２に共同出資への参加を促す。
【００３６】
参加者ｃ１、ｃ２が共同出資してもよいと考えた場合は、参加登録ボタン２０６を押して、参加手続きをおこない、併せて最初の出資額を入力する（ステップ３６）。管理サーバＳは、参加者ｃ１、ｃ２からの共同出資の申し込みを受信すると、入札支援情報１４に参加者ｃ１、ｃ２を出資金とともに登録し、入札支援情報１４を更新する。この際、参加者と出資額の欄だけでなく、出資額に応じた構成員別適正落札価格１４６と構成員別予想配当１４７も自動更新される。また、初期出資額が合計され、共同出資者全体の出資金１４１が算出される。また、管理サーバＳは、いつ誰がいくらで入札したかを示す入札情報をオークションサイトサーバＡＳから受信し（ステップ３７）、入札状況情報１３を生成する。管理サーバＳは、このようにして入札支援データ１ａを更新する（ステップ３８）。
【００３７】
図８には、このときの参加者端末Ｃ１，Ｃ２における閲覧画面の例を示す。この情報は参加者端末Ｃ１、Ｃ２から常時閲覧することができるので、参加者ｃ１、ｃ２は、最低入札価格が設定されていてそれに満たない場合や、出資金合計値が最高入札金額より少ない場合は出資額を逐次追加することもでき、その結果は直ちに入札支援データ１ａに反映される。所定時間の経過後も最高入札価格に満たない場合は、管理サーバＳから構成員にその旨の通知を自動発信するようにしてもよい。図８は、参加者ｃ１、ｃ２がすでに３つの入札があったこと、および、出資金合計値が最高入札金額より少ないことを知り、出資金を追加し、出資金合計値が最高入札金額を上回った時点でのものである。
【００３８】
参加者ｂは適当なタイミングで、管理サーバＳに対して入札するよう指令を発信し（ステップ３９）、管理サーバＳはオークションサイトサーバＡＳに対して入札を実行する（ステップ４０）。このとき、参加者端末Ｂから直接オークションサイトサーバＡＳに入札し、管理サーバＳがそれを検出するようにしてもよい。
【００３９】
オークションサイトサーバＡＳは参加者ｂからの入札を受付け（ステップ４１）、さらに入札があるたびに、入札情報を更新していく（ステップ４２）。管理サーバＳは、所定のタイミングで入札情報をオークションサイトサーバＡＳから取得し、入札支援データ１ａを更新する（ステップ４３）。
【００４０】
この情報は、参加者端末Ｂ、Ｃ１、Ｃ２で閲覧することができるので、他者が入札価格をせり上げた場合、参加者ｃ１、ｃ２は出資金を追加することができ（ステップ４４）、参加者ｂ自身が追加出資してもよい（ステップ４５）。その結果は直ちに入札支援データ１ａに反映される（ステップ４６）。所定時間の経過後も出資金合計値が最高入札価格より少ない場合は、管理サーバＳから構成員にその旨の通知を自動発信するようにしてもよい。
【００４１】
参加者ｂは適当なタイミングで、管理サーバＳに対して最高入札価格よりも高い価格を指定して再入札するよう指令を発信し（ステップ４７）、管理サーバＳはオークションサイトサーバＡＳに対して再入札を実行する（ステップ４８）。オークションサイトサーバＡＳは参加者ｂからの再入札を受付ける（ステップ４９）。その後、最高入札価格が上昇した場合は、図４の範囲５１の各ステップを繰り返し実行し、入札が終了する（ステップ５０）。図９には、このときの閲覧画面を示す。本図は参加者ｃ１の閲覧画面であり、参加者ｃ１は、すでに最高入札価格が適正落札価格パターン１での価格を超えてしまったため、適正落札価格パターン２に切り替え、それを参考にまだ入札価格が不当に高くなっていないことを確認して、自らの出資額を増やした。
【００４２】
本発明の効果は以下の通りである。
【００４３】
共同出資者にとっては、適正価格を判断するための情報を入札者と共有することができるので、出資への参加や追加出資の必要性を客観的なデータに基づき判断でき、適正な価格で落札できる機会が増える。
【００４４】
また、共同出資募集者にとっては、共同出資者の募集や共同出資者の追加出資がスムーズにおこなわれ、適正な価格で落札できる機会が増えるとともに、自身が負うリスクの低減を図ることができる。
【００４５】
以上説明したように、本発明のオークションシステムは、転売をすることで利益を得るものや、競走馬のように成長後新しい利益を生み配当金を得られる可能性があるものを入札対象としたネットオークションにおいて、オークションの共同出資募集者と共同出資者とを通信ネットワークを介して結び、入札に必要な支援情報を共有することにより、タイムリーに入札し、適切な価格で落札できる機会を増やすことが可能となる。
【図面の簡単な説明】
【００４６】
【図１】本発明のオークションシステムの全体構成図である。
【図２】本発明のオークションシステムを構成する管理サーバに構築された入札支援データベースの概要図である。
【図３】図２に示す入札支援データベースの価格等予測情報の説明図である。
【図４】図２に示す入札支援データベースの価格等予測情報の説明図である。
【図５】図２に示す入札支援データベースの価格等予測情報の説明図である。
【図６】本発明のオークション方法の流れを示すフロー図である。
【図７】本発明のオークション方法における参加者端末の閲覧画面の説明図である。
【図８】本発明のオークション方法における参加者端末の閲覧画面の説明図である。
【図９】本発明のオークション方法における参加者端末の閲覧画面の説明図である。
【符号の説明】
【００４７】
１  入札支援データベース
１ａ  入札支援データ
１１  オークションサイト情報
１２  入札情報
１３  入札状況情報
１４  入札支援情報
１５  価格等予測情報
１５ａ、１５ｂ、１５ｃ、１５ｄ、１５ｅ  予測データ
１０１  通信ネットワーク
１０２  オークションサイト
Ｂ、Ｃ１、Ｃ２  参加者端末
Ｓ  管理サーバ
ＡＳ  オークションサイトサーバ
【図１】
2006004362.tif 000003
【図２】
2006004362.tif 000004
【図３】
2006004362.tif 000005
【図４】
2006004362.tif 000006
【図５】
2006004362.tif 000007
【図６】
2006004362.tif 000008
【図７】
2006004362.tif 000009
【図８】
2006004362.tif 000010
【図９】
2006004362.tif 000011